(57)【要約】【課題】フェライト板に割れなどが生じる程度の外力が加えられたことを検知することができる送電装置を提供する。【解決手段】送電装置は、板状に形成されたフェライト板と、フェライト板に設けられると共に、外部に設けられた受電装置に非接触で電力を送電する送電コイルと、送電コイルおよびフェライト板よりも上方に配置されており、溝部４７，４８が形成されている基板と、溝部４７，４８と交差するように基板に形成されているコイル４６，４５と、コイル４６，４５の断線を検知する検知部とを備える。【選択図】図７
2017126596.tif 000002
【特許請求の範囲】
【請求項１】
板状に形成されたフェライト板と、
前記フェライト板に設けられると共に、外部に設けられた受電装置に非接触で電力を送電する送電コイルと、
前記送電コイルおよび前記フェライト板よりも上方に配置されており、溝部が形成されている基板と、
前記溝部と交差するように前記基板に形成されている配線と、
前記配線の断線を検知する検知部とを備えた、送電装置。
【発明の詳細な説明】
【技術分野】
【０００１】
本発明は送電装置に関する。
【背景技術】
【０００２】
従来から、車両に搭載された受電装置と、受電装置に非接触で電力を送電する送電装置とを備えた非接触充電システムについて各種提案されている（特許文献１〜５参照）。
【０００３】
たとえば、特開２０１５−２１１５３６号公報に記載された非接触充電システムにおいて、送電装置は、板状のフェライト板と、このフェライト板に巻回された送電コイルとを含む。
【先行技術文献】
【特許文献】
【０００４】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２０１５−２１１５３６号公報
【発明の概要】
【発明が解決しようとする課題】
【０００５】
特開２０１５−２１１５３６号公報に記載された送電装置が受電装置に電力を送電する際には、送電コイルに電流が供給される。送電コイルに電流が流れると、磁束がフェライト板内を流れる。そして、送電装置からの磁束が受電コイルと鎖交することで、受電コイルに電流が流れる。
【０００６】
送電装置は地面に配置されているため、車両の車輪が送電装置上を通り、送電装置に大きな荷重が加えられる場合がある。送電装置に大きな荷重が加えられると、送電装置に設けられたフェライト板にも大きな荷重が加えられ、フェライト板が割れるおそれがある。
【０００７】
フェライト板の割れ部分においては、割れたフェライト板の割れ片同士が接触している場合が多く、割れ片部分の接触部分の面積が小さくなる。その結果、割れ部分の磁気抵抗は、割れが生じていない部分の磁気抵抗よりも高くなる。そして、磁気抵抗の高い部分を磁束が通ると大きな磁気損失が生し、当該割れ部分の温度が高くなる。
【０００８】
しかし、特開２０１５−２１１５３６号公報に記載された送電装置においては、フェライト板に割れが生じる程度の外力が加えられたことを検知する手段がない。
【０００９】
本発明は、上記のような課題に鑑みてなされたものであって、その目的は、フェライト板に割れなどが生じる程度の外力が加えられたことを検知することができる送電装置を提供することである。
【課題を解決するための手段】
【００１０】
本発明に係る送電装置は、板状に形成されたフェライト板と、前記フェライト板に設けられると共に、外部に設けられた受電装置に非接触で電力を送電する送電コイルと、前記送電コイルおよび前記フェライト板よりも上方に配置されており、溝部が形成されている基板と、前記溝部と交差するように前記基板に形成されている配線と、前記配線の断線を検知する検知部とを備える。
【００１１】
上記の送電装置によれば、送電装置に所定以上の外力が加えられると、溝部において基板に割れが生じる。基板が溝部の部分で割れると、溝部と交差するように設けられた配線が断線する。この断線を検知することで、送電装置に所定値以上の荷重が加えられることを検知することができる。
【発明の効果】
【００１２】
本発明に係る送電装置によれば、フェライト板に割れなどが生じる程度の外力が加えられたことを検知することができる。
【図面の簡単な説明】
【００１３】
【図１】非接触充電システム１を模式的に示す模式図である。
【図２】非接触充電システム１を模式的に示す電気回路図である。
【図３】送電装置３を示す分解斜視図である。
【図４】ベース板３０を示す平面図である。
【図５】ボビン２２の下面２５を示す底面図である。
【図６】送電コイル１７およびフェライト板３３を示す平面図である。
【図７】異物検知板２６を示す斜視図である。
【図８】検知コイル対４０を示す斜視図である。
【図９】異物検知板２６を示す電気回路図である。
【図１０】送電装置３の一部を断面視した断面図である。
【発明を実施するための形態】
【００１４】
図１は、非接触充電システム１を模式的に示す模式図であり、図２は、非接触充電システム１を模式的に示す電気回路図である。図１に示すように、非接触充電システム１は、受電装置４が設けられた車両２と、車両２の外部に設けられた送電装置３とを備える。
【００１５】
車両２は、送電装置３から非接触で電力を受電する受電装置４と、制御部５と、受電装置４が受電した電力を蓄電するバッテリ６と、アンテナ７とを含む。送電装置３は、電源１０に接続されている。
【００１６】
図２に示すように、受電装置４は、受電部８と、受電部８に接続された整流器９とを含む。受電部８は、受電コイル１１と受電コイル１１に直列に接続されたコンデンサ１２とを含む。整流器９は、受電部８が受電した交流電力を直流電力に変換して、バッテリ６に供給する。
【００１７】
送電装置３は、送電部１５と、送電部１５に接続された変換器１６とを含む。送電部１５は、送電コイル１７と、送電コイル１７に直列に接続されたコンデンサ１８とを含む。変換器１６は、電源１０から供給される交流電力の周波数や電圧を調節して、送電部１５に供給する。送電装置３は、図１に示すように、アンテナ１９および制御部２０を含む。
【００１８】
図３は、送電装置３を示す分解斜視図である。この図３に示すように、送電装置３は、筐体２１を含み、筐体２１は、アルミニウムなどの金属材料によって形成されたベース板３０と、このベース板３０を上方から覆うように設けられた樹脂蓋３１とを含む。
【００１９】
送電装置３は、ベース板３０の上面上に配置された支持板３２と、支持板３２の上面上に配置されたフェライト板３３と、フェライト板３３の上面上に配置されたボビン２２と、ボビン２２のコイル溝２３内に装着された送電コイル１７と、ボビン２２の上面上に配置された異物検知板２６と、異物検知板２６の上面に配置された樹脂蓋３１とを含む。
【００２０】
図４は、ベース板３０を示す平面図である。この図４に示すように、ベース板３０の上面には、底板３６と、底板３６の上面に形成された支持壁３５とを含む。
【００２１】
図３に示すように、支持板３２は、支持壁３５によって支持されている。支持板３２とベース板３０との間には、隙間が形成されており、支持板３２およびベース板３０の間にコンデンサ１８および変換器１６が収容されている。なお、支持板３２もアルミニウムなどの金属から形成されている。
【００２２】
フェライト板３３は、複数の分割フェライト３７を含む。ボビン２２は、板状に形成されており、樹脂などの絶縁材料によって形成されている。ボビン２２の上面２４にはコイル溝２３が形成されており、このコイル溝２３に送電コイル１７が配置されている。図５は、ボビン２２の下面２５を示す底面図である。この図５に示すように、ボビン２２の下面２５には、下方に向けて突出する支持壁２７が形成されている。
【００２３】
図６は、送電コイル１７およびフェライト板３３を示す平面図である。なお、この図６においては、ボビン２２などの部材は図示していない。この図６に示すように、送電コイル１７は、フェライト板３３の上面に配置されている。送電コイル１７は、上下方向に延びる巻回軸線Ｏ１の周囲を取り囲むように形成されている。そして、送電コイル１７の中央部には、中空部３４が形成されている。
【００２４】
フェライト板３３は、複数の分割フェライト３７を含み、各分割フェライト３７間には空隙が形成されている。当該空隙は、中空部３４から径方向に延びるように形成されている。
【００２５】
図７は、異物検知板２６を示す斜視図である。この図７に示すように、異物検知板２６は、積層絶縁板４１と、積層絶縁板４１に形成された複数の検知コイル対４０とを含む。
【００２６】
積層絶縁板４１は、絶縁板４２と、絶縁板４２の上面に設けられた絶縁板４３とを含む。絶縁板４２，４３は、樹脂などの絶縁材料によって形成されている。
【００２７】
検知コイル対４０は、絶縁板４２の上面に設けられた送信コイル４５と、絶縁板４３の上面に設けられた受信コイル４６とを含む。
【００２８】
そして、絶縁板４３の上面４９には、格子状の溝部４７が形成されている。複数の受信コイル４６のうち、少なくとも１つの受信コイル４６は、溝部４７と交差するように形成されている。
【００２９】
絶縁板４２の上面にも、溝部４７と同様に格子状の溝部４８が形成されており、送信コイル４５は、溝部４８と交差するように形成されている。
【００３０】
図８は、検知コイル対４０を示す斜視図である。この図８に示すように、送信コイル４５および受信コイル４６は、上下方向に配列するように設けられている。
【００３１】
図９は、異物検知板２６を示す電気回路図である。この図９に示すように、異物検知板２６は、電源１０に接続されたパワーアンプ５０と、パワーアンプ５０に接続されたコンデンサ５１と、コンデンサ５１に接続されたマルチプレクサ５２と、複数の送信コイル４５と、マルチプレクサ５４とを含む。
【００３２】
マルチプレクサ５２には、複数の共通配線５３が接続されている。各共通配線５３には、複数の送信コイル４５の一方の端部が接続されている。マルチプレクサ５４には、複数の共通配線５５が接続されている。各共通配線５５には、複数の送信コイル４５の他方の端部が接続されている。
【００３３】
異物検知板２６は、信号処理回路６０と、信号処理回路６０に接続されたコンデンサ６１および抵抗６２と、コンデンサ６１に接続されたマルチプレクサ６３と、複数の受信コイル４６と、マルチプレクサ６５とを含む。
【００３４】
マルチプレクサ６３には、複数の共通配線６４が接続されており、各共通配線６４には、複数の受信コイル４６の一方の端部が接続されている。マルチプレクサ６５には、複数の共通配線６６が接続されており、各共通配線６６には複数の受信コイル４６の他方の端部が接続されている。図１０は、送電装置３の一部を断面視した断面図である。この図１０に示すように、各分割フェライト３７の間の空隙に、ボビン２２の下面に形成された支持壁２７が入り込んでいる。そして、ベース板３０の支持壁３５が支持板３２を挟んで、支持壁２７の下端部を支持している。
【００３５】
そして、ボビン２２の上面には、異物検知板２６の積層絶縁板４１が配置されている。そして、絶縁板４２の上面に溝部４８が形成されており、この溝部４８を跨るように送信コイル４５が形成されている。
【００３６】
絶縁板４２の上面に絶縁板４３が配置されている。絶縁板４３の上面には、溝部４７が形成されており、この溝部４７を跨るように、受信コイル４６が形成されている。ここで、溝部４７および溝部４８は、分割フェライト３７の中央部の上方に設けられている。
【００３７】
上記のように構成された非接触充電システム１の作用について説明する。送電装置３から受電装置４に電力を送電する前に、送電装置３の上方に受電装置４が位置するように車両２を移動させる。この際、送電装置３の上面などに金属異物などがある場合には、当該金属異物が高温となるおそれがあるため、異物検知板２６を用いて、金属異物の有無を検知する。
【００３８】
金属異物の有無を検知する際には、図９において、制御部２０は、複数の共通配線５３のうち、１つの共通配線５３がコンデンサ５１に接続されるように、マルチプレクサ５２を制御する。そして、複数の共通配線５５のうち１つの共通配線５５が接地されるように、制御部２０はマルチプレクサ５４を制御する。このようにして、１つの送信コイル４５に交流電流が供給される。このようにして、複数の送信コイル４５のから１つの送信コイル４５から選択される。
【００３９】
次に、選択された送信コイル４５の上方に位置する受信コイル４６が、コンデンサ６１に接続されると共に接地されるように、制御部２０は、マルチプレクサ６３，６５を制御する。
【００４０】
そして、図８において、選択された送信コイル４５に交流電流が流れると、当該送信コイル４５の周囲に磁束が形成される。この磁束が受信コイル４６と鎖交することで、受信コイル４６に誘導起電圧が生じる。この受信コイル４６の周囲に金属異物がある場合には、当該金属異物にも送信コイル４５からの磁束が入射し、金属異物に渦電流が流れる。
【００４１】
その結果、受信コイル４６の実効抵抗が大きくなり、受信コイル４６に生じる誘導起電圧が変動する。
【００４２】
図９に示す信号処理回路６０は、選択された受信コイル４６に生じる電圧を検知して、制御部２０に送信する。制御部２０は、信号処理回路６０からの検知電圧に基づいて金属異物の有無を判断する。
【００４３】
そして、制御部２０は、選択する送信コイル４５および受信コイル４６を順次切り替えることで、送電装置の上面の金属異物の有無を判断する。
【００４４】
上記のように、車両２が位置合わせしている過程において、異物検知板２６が金属異物の有無を検知している。その一方で、車両２が移動している過程において、車両２の車輪が送電装置３に乗り上げる場合がある。
【００４５】
図１０において、樹脂蓋３１上に車輪６７が乗り上げると、樹脂蓋３１および積層絶縁板４１が撓む。
【００４６】
積層絶縁板４１に加えられる荷重が所定値以上になり、積層絶縁板４１の撓み量が所定値よりも大きくなると、絶縁板４３の溝部４７や絶縁板４２の溝部４８において割れが発生する。
【００４７】
ここで、送電装置３に加えられる外力によって、分割フェライト３７が割れる前に、絶縁板４２，４３が割れるように、溝部４７，４８の溝深さ、溝幅などが設定される。
【００４８】
溝部４７で割れが発生すると、絶縁板４３の割れ部分に隙間が生じやすく、当該隙間が生じると、溝部４７と交差するように受信コイル４６が配置されているため、受信コイル４６が断線する。同様に、送信コイル４５は、溝部４８と交差するように形成されているため、溝部４８で割れが発生すると、送信コイル４５が断線する。
【００４９】
図９において、送信コイル４５が断線すると、送信コイル４５に交流電流が流れなくなる。その結果、断線した送信コイル４５に対応する受信コイル４６に誘導起電圧が生じなくなる。また、特定の受信コイル４６が断線すると、受信コイル４６に誘導起電圧が大きく変動する。
【００５０】
このため、制御部２０は、信号処理回路６０からの出力値に基づいて、送信コイル４５および受信コイル４６の断線を検知することができる。
【００５１】
制御部２０は、送信コイル４５または受信コイル４６の断線を検知すると、送電コイル１７への電力供給を停止する。
【００５２】
このように、本実施の形態に係る送電装置３においては、分割フェライト３７が割れる前に、送電コイル１７への送電が停止されるため、仮に、分割フェライト３７に割れが発生したとしても、割れた分割フェライト３７に磁束が流れ、分割フェライト３７が高温となることを抑制することができる。
【００５３】
なお、本実施の形態においては、溝部４７と、受信コイル４６とが交差するように形成されているが、共通配線６４，６６が交差するようにしてもよい。同様に、送信コイル４５が溝部４８と交差するように設けられているが、共通配線５３，５５が溝部４８と交差するようにしてもよい。
【００５４】
なお、上記の実施の形態においては、異物検知板２６の各種配線が断線することを検知して、送電装置３に所定値以上の荷重が加えられていることを検知しているが、異物検知板２６を用いることは必須ではない。
【００５５】
すなわち、送電装置３は、送電コイル１７および分割フェライト３７よりも上方に配置されると共に溝部が形成された基板と、溝部と交差するように基板に形成された配線と、配線の断線を検知する検知部とを備えておればよい。
【００５６】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【産業上の利用可能性】
【００５７】
本願発明は、送電装置に適用することができる。
【符号の説明】
【００５８】
１  非接触充電システム、２  車両、３  送電装置、４  受電装置、５，２０  制御部、６  バッテリ、７，１９  アンテナ、８  受電部、９  整流器、１０  電源、１１  受電コイル、１２，１８，５１，６１  コンデンサ、１５  送電部、１６  変換器、１７  送電コイル、２１  筐体、２２  ボビン、２３  コイル溝、２４，４９  上面、２５  下面、２６  異物検知板、２７，３５  支持壁、３０  ベース板、３１  樹脂蓋、３２  支持板、３３  フェライト板、３４  中空部、３６  底板、３７  分割フェライト、４０  検知コイル対、４１  積層絶縁板、４２，４３  絶縁板、４５  送信コイル、４６  受信コイル、４７，４８  溝部、５０  パワーアンプ、５２，５４，６３，６５  マルチプレクサ、５３，５５，６４，６６  共通配線、６０  信号処理回路、６２  抵抗、６７  車輪。
【図１】
2017126596.tif 000003
【図２】
2017126596.tif 000004
【図３】
2017126596.tif 000005
【図４】
2017126596.tif 000006
【図５】
2017126596.tif 000007
【図６】
2017126596.tif 000008
【図７】
2017126596.tif 000009
【図８】
2017126596.tif 000010
【図９】
2017126596.tif 000011
【図１０】
2017126596.tif 000012